(57)【要約】【課題】空気を加湿する加湿機に関するもので、給水部に汚れやスケールが付着しにくくすることを目的とする。【解決手段】吸気口２と吹出口３を有する本体ケース４内に設けられた送風装置７と加湿装置８とを備え、加湿装置８は、加湿フィルター部材３３と、一定量の水が供給される水槽２１と、回動可能な給水装置４８とを備え、給水装置４８は給水装置枠体４７の周縁部に給水部５５が複数配置されていて、回転装置２３で給水装置枠体４７が回転する。この回転装置２３によって、給水装置枠体４７は一方向または他方向へ回転可能であり、一方向に回転する場合は給水部５５が水槽２１に溜められた水を汲み上げて加湿フィルター部材３３に給水し、加湿運転停止の際には給水回転方向７４とは逆方向へ回転させて給水部５５に保持されている水を水槽２１に戻してから運転を停止することになるので、給水部に汚れやスケールが付着しにくくなる加湿機を得られる。【選択図】図５
2014102059.tif 000002
【特許請求の範囲】
【請求項１】
吸気口と吹出口を有する本体ケースと、この本体ケース内に設けられた送風装置と加湿フィルター部材と水槽と回動可能な給水装置とを備え、前記給水装置は、円形の給水装置枠体の周縁部に給水用の開口部を有する略箱状の給水部が複数配置され、前記給水装置枠体が給水回転方向に回転することで、前記水槽に溜められた水を汲み上げて前記加湿フィルター部材に給水し、前記給水装置枠体を前記給水回転方向とは逆方向へ回転させてから給水を停止するようにした加湿機。
【請求項２】
上記逆方向への回転速度は、前記給水回転方向の回転速度より遅いことを特徴とした請求項１に記載の加湿機。
【請求項３】
上記逆方向への回転時に、前記給水部が最初に入水する前記給水部の底面は、円形の給水装置枠体の円周方向の法線から斜めとなる角度を設けて形成された請求項１または２に記載の加湿機。
【請求項４】
上記給水部には、底面側から前記開口部方向に開く弁を設けた請求項３に記載の加湿機。
【請求項５】
気化フィルターの通風路に空気清浄装置を設けた請求項１〜４のいずれかに記載の加湿機。
【発明の詳細な説明】
【技術分野】
【０００１】
本発明は、空気を加湿する加湿装置、および空気を浄化しながら加湿することのできる加湿機に関するものである。
【背景技術】
【０００２】
従来、この種の加湿機は、吸気口と排気口を有する本体ケースがあり、この本体ケース内に加湿装置と送風装置とを備えたものが知られている。この加湿装置は、円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とによって形成されている。さらに、前記加湿フィルター枠の外周部には給水部を備え、この給水部の一部が前記水槽に供給された水に常時浸るように前記加湿フィルター枠が装着されている。前記回転手段によって前記加湿フィルター枠を回転させることにより、前記加湿フィルター枠の前記給水部で前記水槽から水を汲み上げ前記加湿フィルターに上部から給水する構成となっていた。
【０００３】
そして、送風装置が、前記吸気口から前記本体ケース内に吸気した空気を、前記加湿フィルターを介して、前記排気口へと送風し、前記加湿フィルターを通風する際に吸気した空気を加湿するものである。（例えば、特許文献１参照）。
【０００４】
以下、その加湿装置について図８を参照しながら説明する。
【０００５】
図８に示すように、加湿構造体１２２を円盤形状として加湿フィルターとし、円の中心線を空気の流れる方向と平行にして配置している。給水部は水供給手段のひしゃく１２７であって、円盤形状の加湿構造体１２２の円周側面に沿って観覧車の如く複数設けてモータ１２８の力で回転させれば、水槽１２４の水１２５をすくいあげたひしゃく１２７は空気の流れを妨げることなく加湿構造体１２２へ連続的に水を供給し続けられる。
【先行技術文献】
【特許文献】
【０００６】
【特許文献１】特開２００５−２８２９８０号公報
【発明の概要】
【発明が解決しようとする課題】
【０００７】
上記従来例における課題は、給水部に汚れやスケールが付着するということであった。
【０００８】
すなわち、従来のものにおいては、給水部で水槽の水を汲み上げ、加湿フィルターの上部で給水していたので、給水部で汲み上げられてから回転してフィルターの上部に至るまでの間は給水部に水が保持されていることになる。したがって、この間に機器の運転を停止したり、加湿フィルター枠の運転を停止したりすると、この水が給水部で残水となる。
【０００９】
この残水はやがて蒸発してなくなるが、それまでの間に残水中の雑菌でぬめりが発生したり、蒸発により残水中の不純物等が析出したりすることにより、汚れやスケールが付着する課題を有していた。
【００１０】
そこで本発明は、上記従来の課題を解決するものであり、給水部に汚れやスケールが付着しにくくすることを目的とするものである。
【課題を解決するための手段】
【００１１】
そして、この目的を達成するために、本発明は、送風装置と加湿フィルター部材と水槽と回動可能な給水装置とを備え、前記給水装置は、円形の給水装置枠体の周縁部に給水用の開口部を有する略箱状の給水部が複数配置され、前記給水装置枠体が給水回転方向に回転することで前記水槽に溜められた水を汲み上げて前記加湿フィルター部材に給水し、前記給水装置枠体を前記給水回転方向とは逆方向へ回転させてから給水を停止するようにしたものであり、これにより所期の目的を達成するものである。
【発明の効果】
【００１２】
本発明によれば、給水装置枠体を給水とは逆方向へ回転させてから運転を停止するという構成にしたことにより、給水部に保持されている水が逆回転により水槽に戻されてから給水を停止することになる。よって、給水を停止したときに給水部の残水がなくなるので、給水部に汚れやスケールが付着しにくくなるという効果を得ることができる。
【図面の簡単な説明】
【００１３】
【図１】本発明の実施の形態１の加湿機の概略図
【図２】同加湿機の概略断面を示す図
【図３】同加湿機の加湿装置の概略図
【図４】同加湿機の加湿部材の分解構成図
【図５】同加湿機の加湿装置の同概略断面を示す図
【図６】同加湿機の加湿装置の同概略断面を示す図
【図７】同加湿機の制御ブロック図
【図８】従来の加湿装置を示す概略図
【発明を実施するための形態】
【００１４】
本発明の請求項１記載の加湿機は、送風装置と加湿フィルター部材と水槽と回動可能な給水装置とを備え、前記給水装置は、円形の給水装置枠体の周縁部に給水用の開口部を有する略箱状の給水部が複数配置され、前記給水装置枠体が給水回転方向に回転することで、前記水槽に溜められた水を汲み上げて前記加湿フィルター部材に給水し、前記給水装置枠体を前記給水回転方向とは逆方向へ回転させてから給水を停止するという構成を有する。これにより、給水部に保持されている水が逆回転により水槽に戻されてから運転を停止することになるので、給水部の残水がなくなり、給水部にスケールや汚れが付着しにくくなるという効果を奏する。
【００１５】
また、上記逆方向への回転速度は汲み上げ給水するときの回転速度より遅くした構成にしたものである。これにより、逆回転の際に水槽水中を回動していく給水部の底面が抵抗になりにくくなるとともに、逆回転したときに給水部からの水の戻りが緩やかになるので、給水部からスムーズに排水が行われ、給水部の残水がなくなり、給水部に汚れやスケールが付着しにくくなるという効果を奏する。
【００１６】
また、逆方向への回転時に、給水部が最初に入水する給水部の底面は、円形の給水装置枠体の円周方向の法線から斜めとなる角度を設けて形成されたものである。これにより、逆回転の際に水槽水中を回動していく給水部の底面が抵抗になりにくく、給水部からの排水がスムーズに行われることになるので、給水部の残水がなくなり、給水部に汚れやスケールが付着しにくくなるという効果を奏する。
【００１７】
また、給水部には、底面側から開口部方向に開く弁を設けたものである。これにより、水槽水を汲み上げる方向とは逆回転の際に回動するとき、弁が開いて給水部内部を水槽水で濯ぐことができるので、給水部に汚れやスケールが付着しにくくなるという効果を奏する。
【００１８】
また、気化フィルターの通風路に空気清浄装置を設けたものである。これにより、加湿と空気清浄が同時に行われ、加湿運転を停止する際に給水部の残水がなくなり、給水部に汚れやスケールが付着しにくくなるという効果を奏する。
【００１９】
以下、本発明の実施の形態について図面を参照しながら説明する。
【００２０】
（実施の形態１）
図１、図２に示すように、加湿機１は、吸気口２と吹出口３を有する本体ケース４の内部に、送風装置７と、空気清浄装置１０と、加湿装置８とが備えられている。この本体ケース４の内部には、吸気口２から吹出口３に至る通風路９が形成されており、この通風路９に、空気清浄装置１０と加湿装置８とが配置されている。
【００２１】
送風装置７は、スクロール形状のケーシング１３と、このケーシングに固定された送風用モーター５と、この送風用モーター５に軸支された遠心ファン６で構成される。空気清浄装置１０は、除塵フィルター１１、脱臭フィルター１２で構成する。
【００２２】
加湿装置８は、図３、図４に示すように、給水タンク２０と、水槽２１と、加湿部材２２と、回転装置２３とで構成されている。
【００２３】
給水タンク２０は、略縦長箱形状で、水槽２１に装着可能であり、水槽２１に給水タンク２０を装着すると一定量の水を水槽２１に給水する。
【００２４】
水槽２１は、上面が開口した略横長箱形状で、水槽２１の長辺である水槽側壁６１から上方に突出して加湿部材保持部６２を備えている。この加湿部材保持部６２に、加湿部材２２を回転自在に装着できる。水槽２１は、本体ケース４の側面からスライドして本体ケース４の内部に装着可能である。
【００２５】
回転装置２３は、駆動モーター２５と、駆動歯車２６とで構成され、本体ケース４の内部に装着されている。駆動モーター２５は、回転速度が変更可能であり、逆転可能である。駆動歯車２６は、この駆動モーター２５に装着されている。
【００２６】
加湿部材２２は、加湿フィルター部材３３と、フィルター枠カバー３４と、フィルター枠３０とで構成される。加湿フィルター部材３３は、フィルター枠３０に収納される。
【００２７】
加湿フィルター部材３３は、吸水性および通気性のある材料で作成された多角形で、複数の辺部３１と頂部３２とを有する。１例として、本実施形態では、正六角形である。なお、加湿フィルター部材３３の形状は、正六角形でなく、変則六角形でもよく、さらに六角形でなく、五角形や八角形などの多角形にすることもできる。
【００２８】
フィルター枠カバー３４は、円形でフィルター枠３０に嵌合して加湿フィルター部材３３を保持する。フィルター枠カバー３４の中心には、突起状のカバー回転軸３５が形成される。このカバー回転軸３５から放射状に伸びた複数の桟３６と、この桟３６を円周方向に補強する複数の補助桟３７とが設けられている。桟３６と補助桟３７との間には、通風路９を構成する開口部３８を備えている。
【００２９】
フィルター枠３０は、円板状で、フィルター枠３０の中心には、ケース回転軸４０が形成されている。このケース回転軸４０の軸心は、カバー回転軸３５の軸心に一致し、フィルター枠カバー３４をフィルター枠３０に装着したときに、突き出す向きが反対になるように形成されている。ケース回転軸４０から放射状に伸びた棒形状の複数のケース桟４１と、このケース桟４１の先端を連結する環形状のケース補助桟４２ａと、このケース補助桟４２ａの外周から径方向外側に伸びる複数の平板形状のケース補助桟４２ｂを備えている。これらの桟の間もまた通風路９を構成する開口部４３ａ、開口部４３ｂとなっている。
【００３０】
ケース補助桟４２ｂの先端側つまり外方には、円形の給水装置枠体４７と給水部５５が形成され、給水装置４８を構成している。
【００３１】
給水部５５は、フィルター枠３０の円周方向に長い略長四角形状の箱で、ケース回転軸４０の軸方向に対する垂直断面形状が略半円形状であり、２つの開口を有する。２つの開口は、給水用の開口部すなわち給水部５５内に水が入る開口である外周開口部５７と、給水部５５内の水が排出される開口である内周開口部５８とを有する。具体的には、給水部５５は、内周壁５１と、外周壁５２と、側壁５３ａと、側壁５３ｂとの主要な４面と、外周開口部５７と、内周開口部５８との２つの開口から構成している。
【００３２】
内周壁５１は、長方形の平板で、この平板の一方側の長辺端部と複数のケース補助桟４２ｂの先端が連結している。この内周壁５１には、四角形状の開口である内周開口部５８を有する。この内周開口部５８は、フィルター枠３０の回転方向における上流側に位置する。フィルター枠３０には、６つの内周壁５１を有し、隣り合う内周壁５１の短辺端部が連結し、六角形の筒である内周筒部４４を形成する。この内周筒部４４内に加湿フィルター部材３３が入る。
【００３３】
外周壁５２は、内周壁５１の外方に位置し、内周壁５１の短辺端部を連結する長方形で外方へ凸形状の曲面板である。この外周壁５２には、四角形状の開口である外周開口部５７を有する。この外周開口部５７は、フィルター枠３０の回転方向における下流側に位置する。フィルター枠３０は、６つの外周壁５２を有し、隣り合う外周壁５２の短辺端部が連結し、円形の筒である外周筒部４５を形成する。
【００３４】
側壁５３ａは、内周壁５１の一方側の端部と、外周壁５２の一方側の端部とを連結する略半円形状の平板である。フィルター枠３０は、６つの側壁５３ａを有する。側壁５３ｂは、内周壁５１の他方側の端部と、外周壁５２の他方側の端部とを連結する略半円形状の平板である。フィルター枠３０は、６つの側壁５３ｂを有する。
【００３５】
言い換えれば、フィルター枠３０には、加湿フィルター部材３３を収納する厚みがある。フィルター枠３０の周縁部５０は、加湿フィルター部材３３の辺部３１が当接する内周壁５１とフィルター枠３０の外周に設けられた外周壁５２にはさまれる。したがって、内周壁５１と外周壁５２をはさむように側壁５３ａと側壁５３ｂで囲うと、加湿フィルター部材３３の厚みに相当する幅のある空間が形成されるので、ここに給水部５５を設ける。即ち、周縁部５０の空間は、外周壁５２の一部に外周開口部５７を開口することにより、Ｖ字状のひしゃくとなり、給水部５５が形成される。また、内周壁５１の一部にも内周開口部５８を開口する。
【００３６】
加湿フィルター部材３３の形状を正六角形にすれば、フィルター枠３０の外周の円形の給水装置枠体４７には６個の給水部５５が形成されて、給水装置４８が構成されることになる。
【００３７】
そして、水槽２１の水槽側壁６１から上方に突出して加湿部材保持部６２を形成し、この加湿部材保持部６２で加湿部材２２のカバー回転軸３５とケース回転軸４０とを回動可能に、かつ水槽２１の内部に入り込むように軸支している。
【００３８】
また、加湿部材２２にはケース回転軸４０の軸心が中心となる回転歯車６３が形成されている。水槽２１は本体ケース４の側面からスライドして本体ケース４の内部に装着可能であり、水槽２１を装着することで駆動歯車２６と回転歯車６３がそれぞれ噛み合うようになっている。
【００３９】
図５、図６に示すように、水槽２１に給水タンク２０を装着して給水すると、水槽２１には水槽水７１が溜まり、水位面７２が形成され、加湿部材２２の下部は水槽水７１に浸漬する。フィルター枠３０の最下部に第１内周壁辺５１ａが位置しているときに、第１内周壁辺５１ａは水位面７２よりも上になるように設定されている。即ち、加湿フィルター部材３３は水槽水７１に浸漬せず、第１内周壁辺５１ａの下方にある第１給水部５５ａが水槽水７１に浸漬した状態である。そして、回転装置２３により給水装置枠体４７が給水回転方向７４即ち外周開口部５７から水がこぼれない方向に回転すると、回転した先の給水部５５には保持水７５が貯えられる。
【００４０】
第１給水部５５ａの位置から給水回転方向７４に隣接して、第２状態給水部５５ｂ、第３状態給水部５５ｃ、・・第６状態給水部５５ｆが構成される。給水装置枠体４７の回転により、給水部５５に貯えられた保持水７５は内周開口部５８から排水されるので、フィルター枠３０が第３状態給水部５５ｃまで回動しても、給水部５５には保持水７５ｃが貯えられている。
【００４１】
給水回転方向７４の逆方向へ回転時に、給水部５５が最初に入水する部分が底部７８である。この底部７８は内周壁５１がそのまま延長され外周壁５２につながるまでのところに構成されている。そして、底部７８は給水装置枠体４７の円周方向の法線８１に対し、給水回転方向７４に向けて角度θ８２傾いて形成された面である。
【００４２】
給水部５５の底部７８には弁８３が設けられている。弁８３は、断面形状がくの字形状の略長方形の平板である。つまり２枚の略長方形の平板のそれぞれの短辺が連結した形状である。弁８３は、第１弁部８３ａと第２弁部８３ｂとで形成されており、一方側の略長方形の平板が第１弁部８３ａで、他方側の略長方形の平板が第２弁部８３ｂである。第１弁部８３ａは、底部７８を構成すると共に、内周壁５１に当接可能である。第２弁部８３ｂは、外周壁５２の一部を構成すると共に、外周壁５２に当接可能である。弁８３は、側壁５３ａと側壁５３ｂから弁８３に向けて突出した弁軸８４に回動可能に装着されている。第１弁部８３ａが内周壁５１に当接するときには第２弁部８３ｂもまた外周壁５２に当接しており、この状態で弁８３は閉じている。そして、第２弁部８３ｂが内周壁５１側に傾くと底部開口部８７が形成され、この状態で弁８３は開く。すなわち、弁軸８４は、弁８３の重心より第１弁部８３ａ側に位置するものである。
【００４３】
弁８３は、弁軸８４を中心にして、水槽水７１の中を回動するときは水圧で開閉し、給水部５５が保持水７５を加湿フィルター部材３３に給水して空になると自重で開閉する。即ち、第４状態給水部５５ｄと第５状態給水部５５ｅにおいて弁８３は自重で開になっている。第６状態給水部５５ｆでは弁８３は自重で外周壁５２側に倒れるので、弁８３が閉じる。給水装置枠体４７が給水回転方向７４に回動し、弁８３が水槽水７１に浸漬した後は、外周開口部５７から流入する水槽水７１が弁８３の内側に水圧となって加わり、その閉じた状態が継続する。
【００４４】
給水装置枠体４７が給水回転方向７４とは逆方向に回転するときは、弁８３の内側とは反対の外周方向からの水圧が加わることになるので、弁８３は水位面７２に向けて回動し弁８３が開く。
【００４５】
フィルター枠３０の内周壁５１の中央部即ち加湿フィルター部材３３の辺部３１の中央部には磁石８５を設け、磁石８５を設けた辺部３１が最下部に位置するときにその磁力により接点を開閉して検出するリミットスイッチ８６を設ける。
【００４６】
図７に示すように、吸気口２の近傍の通風路９には湿度センサー８８が設けられ、この湿度センサーの検出値は、湿度入力回路８９を経てマイコン９０に入力される。また、このマイコン９０には、運転スイッチ９１とリミットスイッチ８６がそれぞれ入力回路を経て接続されている。さらに、駆動モーター２５は駆動用モーター駆動回路９３を経て、また送風用モーター５は送風用モーター駆動回路９４を経てそれぞれマイコン９０に接続されるとともに、電源回路９５が接続されている。このマイコン９０には、駆動モーター２５を回転させる制御プログラムが設けられており、運転スイッチ９１により運転開始信号が入力されると、送風用モーター５を運転するとともに、駆動モーター２５を給水装置枠体４７が給水回転方向７４に回動するように運転する。そして、運転スイッチ９１からの運転停止信号が入力したり、湿度センサー８８の検出値がたとえば相対湿度５０％等一義的に設定された値以上になった場合は駆動モーター２５を停止する。このように駆動モーター２５を停止する場合は、まず給水回転方向７４と逆方向に一定時間運転し、その後、リミットスイッチ８６が磁石８５を検出したときに、駆動モーター２５が停止するようになっている。  なお、給水回転方向７４と逆方向の回転速度は運転中の回転速度よりも遅く設定されている。
【００４７】
上記構成において、運転スイッチ９１を押すと駆動モーター２５が一方向に回転を開始し、回転装置２３が回転し、給水装置枠体４７が給水回転方向７４に回転する。給水部５５の外周開口部５７が水位面７２に到達し、さらに回転することで給水部５５内に水槽水７１が入り込む。このとき、弁８３はその自重で外周壁５２に当接している。回転にともない給水部５５で汲み上げられた水は内周開口部５８より流出し、加湿フィルター部材３３に給水される。そして送風装置７により加湿フィルター部材３３に通風されているので、通風した空気は加湿される。
【００４８】
駆動モーター２５の回転速度とも相関するが、内周開口部５８の開口位置や大きさを適宜設計することにより、複数の給水部５５から連続的かつ均一に加湿フィルター部材３３へ給水することができる。給水装置枠体４７が回転し、給水部５５が下部に位置する時に水槽水７１を汲み上げ、この給水部５５が上部まで回転する間は給水部５５に保持水７５が貯えられている。
【００４９】
なお、本実施例では、給水部５５の給水装置枠体４７はフィルター枠３０に一体に設け、フィルター枠３０で加湿フィルター部材３３を保持しているため、給水部５５とともに加湿フィルター部材３３も回転する。しかし、給水装置枠体４７とフィルター枠３０を別部材にして加湿フィルター部材３３は固定し、その周りを給水装置枠体４７のみが回動して加湿フィルター部材３３に給水するように構成しても構わない。この構成にすると、給水装置枠体４７とフィルター枠３０を通風路９に並べて設置することができる。
【００５０】
加湿運転を停止するとき、マイコン９０に設定された制御ロジックにより、駆動モーター２５が逆回転する。給水部５５は給水回転方向７４の逆方向に回転するので、給水部５５に保持されている保持水７５は外周開口部５７より水槽２１に戻される。よって、加湿運転をしない時には、給水部５５に保持水７５がなくなるので、給水部５５に汚れやスケールが付着しにくくなる。
【００５１】
給水部５５の外周開口部５７の大きさは底部７８側より大きくし、外周開口部５７に向って順次広がっていく形状にしておくと、給水部５５が給水回転方向７４の逆方向に回転する際に、保持水７５の排水がスムーズに行われることになる。また、この逆回転の際に、底部７８が水槽水７１中を回動していく抵抗になりにくくなる。底部７８がフィルター枠３０の円周方向の法線８１から角度θ８２の傾斜面でなるようになるようにしておくと、逆回転の際、底部７８が水槽水７１を逃がすので抵抗になりにくくなる。
【００５２】
給水装置枠体４７の給水回転方向７４への回転速度より、その逆回転時の回転速度を遅くしておくと、外周開口部５７からの排水が少しずつ行われるので、排水時の水はねや水音を低減することができる。また、逆回転の際、給水部５５が水位面７２に至り、そして水槽水７１の中を駆動する際の駆動抵抗や水音を低減することができる。
【００５３】
給水部５５が水槽水７１の中を逆回転していくと、弁８３は水圧により内周壁５１側に回動し、弁８３が開く。よって底部開口部８７から外周開口部５７に至る水の流れが発生するので、この流れにより給水部５５の内部が濯がれ、汚れやスケールが付着しにくくなる。
【００５４】
加湿フィルター部材３３の通風路９に空気清浄装置１０を設けたものである。加湿装置８が送風装置７と空気清浄装置１０の間に配置されていて停止時に機体内に空気が滞留する場合でも、給水部５５に保持水７５がないので、汚れやスケールが付着しにくくなる。
【００５５】
なお、給水部５５は略Ｕ字状で説明したが、外周壁５２を内側に湾曲するようにして底部７８をなくし略Ｖ字状の側面形状となる給水部５５であっても構わない。
【００５６】
駆動モーター２５を停止するに当たって、まず給水回転方向７４と逆方向に運転する一定時間は、給水部５５に保持されている保持水７５を排水するためには給水装置枠体４７が１／２回転するのに要する時間である。給水部５５の内部を濯ぐのは、給水装置枠体４７が数回転するのに要する時間である。その後、リミットスイッチ８６が磁石８５を検出したときに、駆動モーター２５が停止するようになっている。よって、加湿を行わないときは、給水部５５の内部に保持水７５がなく、また加湿フィルター部材３３も水槽水７１に浸漬しない状態にすることができるので、加湿装置８全体に汚れやスケールが付着しにくくすることができる。なお、本実施例は、多角形のすべての辺に給水部５５を構成しているが、リミットスイッチ８６を設ける辺には給水部５５を設けないようにしておくと、停止時に給水装置４８が水槽水７１に浸漬しない状態にすることができ、より汚れやスケールが付着しにくくなる。
【産業上の利用可能性】
【００５７】
本発明にかかる加湿機は、給水装置枠体を給水とは逆方向へ回転させてから運転を停止するという構成にしたことにより、給水部に保持されている水が逆回転により水槽に戻されて給水部の残水がなくなり、給水部に汚れやスケールが付着しにくくなることを可能とするものであるので、家庭や事務所などに使用される空気を加湿する加湿機として有用である。
【符号の説明】
【００５８】
１    加湿機
２    吸気口
３    吹出口
４    本体ケース
５    送風用モーター
６    遠心ファン
７    送風装置
８    加湿装置
９    通風路
１０    空気清浄装置
１１    除塵フィルター
１２    脱臭フィルター
１３    ケーシング
２０    給水タンク
２１    水槽
２２    加湿部材
２３    回転装置
２５    駆動モーター
２６    駆動歯車
３０    フィルター枠
３１    辺部
３２    頂部
３３    加湿フィルター部材
３４    フィルター枠カバー
３５    カバー回転軸
３６    桟
３７    補助桟
３８    開口部
４０    ケース回転軸
４１    ケース桟
４２ａ  ケース補助桟
４２ｂ  ケース補助桟
４３ａ  開口部
４３ｂ  開口部
４４    内周筒部
４５    外周筒部
４７    給水装置枠体
４８    給水装置
５１    内周壁
５２    外周壁
５３ａ  側壁
５３ｂ  側壁
５５    給水部
５５ａ  第１給水部
５５ｂ  第２状態給水部
５５ｃ  第３状態給水部
５５ｆ  第６状態給水部
５７    外周開口部
５８    内周開口部
６１    水槽側壁
６２    加湿部材保持部
６３    回転歯車
７１    水槽水
７２    水位面
７４    給水回転方向
７５    保持水
７５ｃ  保持水
７８    底部
８１    法線
８２    角度θ
８３    弁
８３ａ  第１弁部
８３ｂ  第２弁部
８４    弁軸
８５    磁石
８６    リミットスイッチ
８８    湿度センサー
８９    湿度入力回路
９０    マイコン
９１    運転スイッチ
９３    駆動用モーター駆動回路
９４    送風用モーター駆動回路
９５    電源回路
【図１】
2014102059.tif 000003
【図２】
2014102059.tif 000004
【図３】
2014102059.tif 000005
【図４】
2014102059.tif 000006
【図５】
2014102059.tif 000007
【図６】
2014102059.tif 000008
【図７】
2014102059.tif 000009
【図８】
2014102059.tif 000010